(57)【特許請求の範囲】
【請求項１】
複数の試験問題を記憶すると共に前記試験問題毎の属性情報を記憶する記憶手段と、
前記試験問題の選択条件を受け付ける受付手段と、
前記属性情報と前記選択条件とを照合し、照合結果に基づいて複数の前記試験問題の中から試験問題を選択し、該試験問題を出力する試験問題選択手段とを具備し、
前記属性情報には、試験問題の標準解答時間が含まれ、
前記選択条件には、試験時間と、複数の試験問題に関する前記標準解答時間の合計値の前記試験時間に対する割合を示す時間率と、前記試験時間に前記時間率を乗じた値と前記標準解答時間の合計値との誤差の範囲を示す時間率誤差とが含まれ、
前記試験問題選択手段は、前記試験時間に前記時間率を乗じた値と、前記標準解答時間の合計値との誤差が前記時間率誤差との範囲に収まるように試験問題を選択することを特徴とする試験作成装置。
【請求項２】
複数の試験問題を記憶すると共に前記試験問題毎の属性情報を記憶する記憶手段と、
前記試験問題の選択条件を受け付ける受付手段と、
前記属性情報と前記選択条件とを照合し、照合結果に基づいて複数の前記試験問題の中から試験問題を選択し、該試験問題を出力する試験問題選択手段とを具備し、
前記属性情報には、総得点における試験問題の得点の割合である配点率が含まれ、
前記選択条件には、前記総得点が含まれ、
前記試験問題選択手段は、前記総得点と前記配点率との乗算値を各試験問題の配点とし、前記配点の合計値が前記総得点と一致するように試験問題を選択することを特徴とする試験作成装置。
【請求項３】
コンピュータの外部あるいは内部に設けられた記憶装置に記憶される複数の試験問題の中から試験問題を選択するための選択条件が入力された場合、前記試験問題の属性情報と前記選択条件とを照合し、照合結果に基づいて複数の前記試験問題の中から試験問題を選択し、該試験問題を出力する試験問題出力処理をコンピュータに実行させるものであって、
前記属性情報には、試験問題の標準解答時間が含まれ、
前記選択条件には、試験時間と、複数の試験問題に関する前記標準解答時間の合計値の前記試験時間に対する割合を示す時間率と、前記試験時間に前記時間率を乗じた値と前記標準解答時間の合計値との誤差の範囲を示す時間率誤差とが含まれ、
前記試験時間に前記時間率を乗じた値と、前記標準解答時間の合計値との誤差が前記時間率誤差との範囲に収まるように試験問題を選択することを特徴とする試験作成プログラム。
【請求項４】
コンピュータの外部あるいは内部に設けられた記憶装置に記憶される複数の試験問題の中から試験問題を選択するための選択条件が入力された場合、前記試験問題の属性情報と前記選択条件とを照合し、照合結果に基づいて複数の前記試験問題の中から試験問題を選択し、該試験問題を出力する試験問題出力処理をコンピュータに実行させるものであって、
前記属性情報には、総得点における試験問題の得点の割合である配点率が含まれ、
前記選択条件には、前記総得点が含まれ、
前記総得点と前記配点率との乗算値を各試験問題の配点とし、前記配点の合計値が前記総得点と一致するように試験問題を選択することを特徴とする試験作成プログラム。
【発明の詳細な説明】
【技術分野】
【０００１】
本発明は、試験作成装置及び試験作成プログラムに関する。
【背景技術】
【０００２】
通常、学力等を評価するためのペーパ試験を行う場合には、予め試験作成者が試験問題を検討して作成し、作成した試験問題を用紙に印刷し、試験時に、試験用紙を受験者に配布して実施する。また、下記特許文献１には、上述したペーパ試験とは異なり、インターネットを通じてサーバ装置から受験生の端末に試験問題を提供する学習システムが開示されている。
【先行技術文献】
【特許文献】
【０００３】
【特許文献１】特開２００４−１１７９４７号公報
【発明の概要】
【発明が解決しようとする課題】
【０００４】
ところで、上記従来技術では、試験問題が印刷された試験用紙、またはサーバ装置に記憶される試験データを、例えば数日前に作成し、試験当日まで外部に漏洩しないように保管する必要があるが、上記試験用紙や試験データを漏洩しないようにどのように保管するべきなのかが問題であった。
【０００５】
本発明は、上述した事情に鑑みてなされたものであり、保管の手間を省き、試験の漏洩を抑制することを目的とする。
【課題を解決するための手段】
【０００６】
上記目的を達成するために、本発明では、試験作成装置に係る第１の解決手段として、複数の試験問題を記憶すると共に前記試験問題毎の属性情報を記憶する記憶手段と、前記試験問題の選択条件を受け付ける受付手段と、前記属性情報と前記選択条件とを照合し、照合結果に基づいて複数の前記試験問題の中から試験問題を選択し、該試験問題を出力する試験問題選択手段とを具備する、という手段を採用する。
【０００７】
本発明では、試験作成装置に係る第２の解決手段として、上記第１の解決手段において、前記属性情報には、試験問題の標準解答時間が含まれ、前記選択条件には、試験時間と、前記試験時間に対する選択された試験問題の標準解答時間の合計値の割合を示す時間率と、時間率誤差とが含まれ、前記試験問題選択手段は、前記試験時間に前記時間率を乗じた値と、前記標準解答時間の合計値との誤差が前記時間率誤差との範囲に収まるように試験問題を選択する、という手段を採用する。
【０００８】
本発明では、試験作成装置に係る第３の解決手段として、上記第１または第２の解決手段において、前記属性情報には、総得点における試験問題の得点の割合である配点率が含まれ、前記選択条件には、前記総得点が含まれ、前記試験問題選択手段は、前記総得点と前記配点率との乗算値を各試験問題の配点とし、前記配点の合計値が前記総得点と一致するようにするように試験問題を選択する、という手段を採用する。
【０００９】
本発明では、試験作成装置に係る第４の解決手段として、上記第１〜第３の解決手段のいずれか１つにおいて、前記属性情報には、難易度が含まれ、前記試験問題選択手段は、前記難易度と一致するように試験問題を選択する、という手段を採用する。
【００１０】
本発明では、試験作成プログラムに係る解決手段として、上記第１または第２の解決手段において、コンピュータの外部あるいは内部に設けられた記憶装置に記憶される複数の試験問題の中から試験問題を選択するための選択条件が入力された場合、前記試験問題の属性情報と前記選択条件とを照合し、照合結果に基づいて複数の前記試験問題の中から試験問題を選択し、該試験問題を出力する試験問題出力処理を
コンピュータに実行させる、という手段を採用する。
【発明の効果】
【００１１】
本発明によれば、複数の試験問題を記憶すると共に前記試験問題毎の属性情報を記憶する記憶手段と、前記試験問題の選択条件を受け付ける受付手段と、前記属性情報と前記選択条件とを照合し、照合結果に基づいて複数の前記試験問題の中から試験問題を選択し、該試験問題を出力する試験問題選択手段とを具備することによって、試験作成者が選択条件を入力するだけで即座に試験を作成することができるので、保管の手間を省き、試験の漏洩を抑制することができる。
【図面の簡単な説明】
【００１２】
【図１】本発明の一実施形態に係る試験作成装置、プリンタ、端末及び通信ネットワークによって構成されるシステムを示す模式図である。
【図２】本発明の一実施形態に係る試験作成装置の機能構成図である。
【図３】本発明の一実施形態に係る試験作成装置に記憶される試験問題データを示すデータテーブルの模式図である。
【図４】本発明の一実施形態に係る試験作成装置における選択条件入力画面（ａ）及び出力設定入力画面（ｂ）を示す図である。
【図５】本発明の一実施形態に係る試験作成装置に記憶される分野別の選択条件詳細入力画面を示す図である。
【発明を実施するための形態】
【００１３】
以下、図面を参照して、本発明の一実施形態について説明する。
本実施形態に係る試験作成装置Ｓは、教育科目における学力を評価するための学力試験等を作成する、例えば、デスクトップ型またはノート型のパーソナルコンピュータであり、図１に示すように、通信ネットワークＮｔを介してプリンタＰ及び複数の端末Ｔ１〜Ｔｎに接続されている。
【００１４】
また、試験作成装置Ｓは、図２に示すように、操作部１、通信部２、表示部３及び補助記憶部４、主記憶部５及び演算処理部６を備えている。なお、操作部１は、本実施形態における選択条件受付手段である。また、補助記憶部４は、本実施形態における記憶手段である。また、演算処理部６は、本実施形態における試験問題選択手段を構成するものである。
【００１５】
操作部１は、キーボード及びマウス等の入力デバイスである。
通信部２は、通信ネットワークＮｔ接続され、端末Ｔ１〜Ｔｎと信号を送受信する通信インタフェースである。
表示部３は、例えば、液晶カラーディスプレイであり、演算処理部６の制御指令に基づいて各種画像を表示する。
【００１６】
補助記憶部４は、例えばフラッシュメモリまたはハードディスク等の補助記憶装置であり、演算処理部６によって実行される制御プログラム、例えば、試験作成プログラム４ａ等を記憶する。上記試験作成プログラム４ａは、補助記憶部４に記憶される試験問題データの中から試験問題を選択するためのプログラムである。
【００１７】
また、補助記憶部４は、複数の試験問題が登録されたデータベースである上述した試験問題データを記憶している。試験問題データは、図３に示すように、試験問題、その解答、さらに試験問題毎の属性情報が分野毎に登録されたデータテーブルである。
【００１８】
上記分野は、各試験問題が属する科目分野を示す情報であり、例えば、数学における「因数分解」、「２次方程式」、「証明」及び「確率」等の教育課程における各数学分野等を示す。また、上記分野は、試験問題が属する科目、つまり、単に「英語」、「数学」、「国語」、「歴史」及び「化学」等の各科目を区別するため情報であってもよい。
【００１９】
また、上記属性情報には、例えば、図３に示すように、「難易度」、「標準解答時間」、「配点率」及び「期間」が含まれている。
上記難易度は、各試験問題の難易度を示す情報であり、例えば、「１」〜「１０」の１０段階で各試験問題の難易度を示している。
また、上記標準解答時間は、各試験問題の標準的な解答時間を示す情報であり、例えば、各試験問題の標準的な解答時間である「１分」、「２分」、「５分」及び「１０分」等の時間を示している。
【００２０】
また、上記配点率は、総得点における各試験問題の得点の割合を示す情報であり、例えば、総得点における各試験問題の得点の割合として「1/1000」、「3/1000」及び「50/1000」等の値を示している。演算処理部６は、選択条件として設定される総得点と、各試験問題の配点率との乗算値を、各試験問題の配点とする。
また、上記期間は、各試験問題の通常の実施期間であり、例えば、「ａ（４〜６月）」、「ｂ（７〜９月）」、「ｃ（１０〜１２月）」及び「ｄ（１〜３月）」の４つの期間を示している。
【００２１】
主記憶部５は、ＲＯＭ（Read Only Memory）及びＲＡＭ（Random Access Memory）から構成されている主記憶装置である。主記憶部５は、演算処理部６の制御指令に基づいて、補助記憶部４に記憶されている試験作成プログラム４ａ等などの制御プログラムや、試験問題データに登録されている各種試験問題や各試験問題の属性情報を読み出し、記憶する。
【００２２】
演算処理部６は、ＣＰＵ（Central Processing Unit）から構成される演算処理装置である。演算処理部６は、主記憶部５に記憶される試験作成プログラム４ａ等などの制御プログラムに基づいて試験作成装置Ｓの全体動作を制御する。詳細については後述するが、演算処理部６は、各種の処理の一環として、補助記憶部４に記憶される試験問題データの中から試験問題を選択して、試験の作成を行う。
【００２３】
プリンタＰは、例えば、電子写真方式やインクジェット方式に基づいて記録紙に画像形成するものであり、試験作成装置Ｓと通信ネットワークＮｔを介して接続されている。プリンタＰは、試験を記録髪に画像形成するために使用される画像形成装置である。
【００２４】
端末Ｔ１〜Ｔｎは、デスクトップ型やノート型のパーソナルコンピュータ、タブレット端末または携帯電話であり、試験作成装置Ｓと通信ネットワークＮｔを介して接続されている。端末Ｔ１〜Ｔｎは、受験者によって試験の解答を入力するために使用される端末装置である。
【００２５】
通信ネットワークＮｔは、ローカルエリアネットワーク及び公衆インターネットから構成され、試験作成装置Ｓと、プリンタＰ及び端末Ｔ１〜ＴｎやプリンタＰとを接続する。
【００２６】
次に、このように構成された試験作成装置Ｓの動作について、詳しく説明する。
【００２７】
例えば、試験作成装置Ｓを使用して試験を作成しようとするユーザは、まず、試験作成装置Ｓの操作部１を操作して、試験作成プログラム４ａを試験作成装置Ｓに起動させるための操作指示を入力する。
【００２８】
ここで、試験作成装置Ｓの演算処理部６は、以下の特徴的な処理を行う。最初に、演算処理部６は、試験作成プログラム４ａを起動させるための操作指示が入力されると、主記憶部５に補助記憶部４から試験作成プログラム４ａを読み出させて記憶させ、主記憶部５に記憶された試験作成プログラム４ａを起動、つまり、試験作成プログラム４ａを実行する。
【００２９】
続いて、ユーザは、試験作成装置Ｓによって試験作成プログラム４ａが起動されると、試験作成装置Ｓの操作部１を操作することによって、補助記憶部４に記憶される試験問題データから試験問題を選択するための選択条件と、選択された試験問題を出力するための出力設定とを入力する。
【００３０】
演算処理部６は、上記選択条件が入力されると、試験作成プログラム４ａに従って、上述した試験問題の属性情報と選択条件とを照合し、照合結果に基づいて複数の試験問題の中から試験問題を選択することによって試験を作成し、出力設定に従って該試験問題を出力、つまり、出力設定に従ってプリンタＰに試験を記録紙に印字させる、あるいは端末Ｔ１〜Ｔｎに試験データを出力する。また、演算処理部６は、選択した試験の解答を同時に出力するようにしてもよい。
【００３１】
例えば、演算処理部６は、表示部３に、ユーザに選択条件を入力させるための選択条件入力画像（例えば、図４（ａ）に示す画面）を表示させる。上記選択条件には、例えば、「試験時間」、「時間率」、「時間率誤差」、「総得点」、「難易度」及び「期間」が含まれる（図４（ａ）参照）。
上記試験時間は、作成対象となる試験の試験時間を示すものである。
【００３２】
また、上記時間率は、試験時間に対する選択された試験問題の標準解答時間の合計値の割合を示すものである。
また、上記時間率誤差は、試験時間に時間率を乗じた値と、標準解答時間の合計値との誤差の範囲を示すものである。
【００３３】
また、上記総得点は、作成対象となる試験の総得点を示すものである。
上記難易度は、上述した試験問題の属性情報である難易度を指定するためのものである。
上記期間は、上述した試験問題の属性情報である期間を指定するためのものである。
【００３４】
演算処理部６は、試験時間に時間率を乗じた値と、標準解答時間の合計値との誤差が時間率誤差との範囲に収まるように試験問題を選択する。
また、演算処理部６は、総得点と配点率との乗算値を各試験問題の配点とし、配点の合計値が総得点と一致するようにするように試験問題を選択する。
【００３５】
また、演算処理部６は、選択条件として入力された難易度によって指定された試験問題を選択する。
また、演算処理部６は、選択条件として入力された期間によって指定された試験問題を選択する。なお、演算処理部６は、選択条件として期間が入力されていない場合には、全ての試験問題を選択対象とする。
【００３６】
また、演算処理部６は、表示部３に、ユーザに出力設定を入力させるための出力設定入力画像（例えば、図４（ｂ）に示す画面）を表示させる。上記出力設定には、例えば、「選択日時」、「日時設定」及び「出力方法」が含まれる（図４（ｂ）参照）。
【００３７】
上記選択日時は、選択条件入力後すぐに試験問題を選択して出力するための「決定後即」と、上記日時設定に設定された日時に試験問題を選択して出力するための「日時設定」と２つの設定値からなり、ユーザに２つの設定値のいずれかを選択させるためのものである。
【００３８】
また、上記日時設定は、上記選択日時において「日時設定」が選択された場合に有効となり、試験問題の選択を行う日時をユーザに設定させるためのものである。
また、上記出力方法は、プリンタＰに試験を記録紙に印字させる、あるいは端末Ｔ１〜Ｔｎに試験データを出力するかをユーザに選択させるためのものである。
演算処理部６は、上述した出力設定に従って該試験問題を出力、つまり、出力設定に従ってプリンタＰに試験を記録紙に印字させる、あるいは端末Ｔ１〜Ｔｎに試験データを出力する。
【００３９】
また、本実施形態において、演算処理部６は、表示部３に、図４（ａ）に示す選択条件入力画面に加えて、図５に示す選択条件詳細入力画面を表示させ、さらに、選択条件を受け付けるようにしてもよい。ここで、選択条件詳細入力画面では、選択条件として、例えば、図５に示すように、「難易度」、「試験時間」、「配点」、「期間」及び「選択」を受け付ける。
【００４０】
上記難易度は、各分野別の試験問題の属性情報である難易度を指定するためのものである。
また上記試験時間は、各分野別の試験時間を示すものである。
また、上記配点は、各分野別の配点を示すものである。
また、上記期間は、各分野別の試験問題の属性情報である期間を指定するためのものである。なお、演算処理部６は、選択条件入力画面に期間が入力されなかった場合、選択条件詳細入力画面に入力された期間に基づいて試験問題を選択するようにしてよい。なお、選択条件詳細入力画面に、期間が入力されていない場合には、全ての問題が選択対象となる。
また、上記選択は、各分野の試験問題を選択するか否かを指定するものである。
【００４１】
ここで、演算処理部６は、選択条件詳細入力画面に入力された試験時間の合計値や、配点の合計値が、選択条件入力画面に入力された試験時間や総得点と異なる場合には、表示部３に警告画面を表示するようにしてもよい。
【００４２】
また、端末Ｔ１〜Ｔｎは、試験データが試験作成装置Ｓから配信されると、予め配布された受験者のＩＤが入力された場合に、試験データに基づく試験の実施を、受験者に許可する。
【００４３】
また、端末Ｔ１〜Ｔｎでは、試験データが配信されて、試験が開始されると、受験者によって入力された解答データを、試験作成装置Ｓに送信する。この際、端末Ｔ１〜Ｔｎは、例えば、試験終了後に、一括して試験作成装置Ｓに解答データを送信するようにしてもよいし、また、試験中に逐次、試験作成装置Ｓに解答データを送信するようにしてもよい。
【００４４】
例えば、端末Ｔ１〜Ｔｎは、試験終了後に、一括して試験作成装置Ｓに解答データを送信することによって、試験中の負荷が低減されるので、受験者にスムーズな操作性を提供することができる。また、端末Ｔ１〜Ｔｎは、試験中に逐次試験作成装置Ｓに解答データを送信することによって、ダウンした場合に生じる解答データの消滅を抑制することができる。
【００４５】
また、端末Ｔ１〜Ｔｎは、試験作成装置Ｓから配信された試験データに基づいて、科目が数学である場合には、電卓機能を停止したり、また科目が国語である場合には、漢字変換機能を停止したり、また電子ペンによる入力を許可したりしてもよい。
また、試験作成装置Ｓからに配信された試験データには、科目が英語である場合には、リスニング用の音声データが含まれていてもよい。
【００４６】
さらに、試験作成装置Ｓにおいて、演算処理部６は、端末Ｔ１〜Ｔｎから解答データを受信すると、解答データの採点や、各受験者ＩＤの偏差値、さらに各受験者ＩＤの分野毎の偏差値を算出するようにしてよい。なお、試験作成装置Ｓの代わりに、他の装置が端末Ｔ１〜Ｔｎから解答データを受信するようにして、該装置が、解答データの採点や、各受験者ＩＤの偏差値、さらに各受験者ＩＤの分野毎の偏差値を算出するようにしてもよい。
【００４７】
このような本実施形態によれば、演算処理部６が、試験問題の属性情報と選択条件とを照合し、照合結果に基づいて複数の試験問題の中から試験問題を選択し、該試験問題を出力する、つまり、即試験問題を選択して出力することができるので、保管の手間を省き、試験データの漏洩を抑制することができる。
【００４８】
このような本実施形態によれば、複数の試験問題を記憶すると共に前記試験問題毎の属性情報を記憶する補助記憶部４と、試験問題の選択条件を受け付ける操作部１と、属性情報と選択条件とを照合し、照合結果に基づいて複数の試験問題の中から試験問題を選択し、該試験問題を出力する演算処理部６とを具備することによって、ユーザ（試験作成者）が選択条件を入力するだけで即座に試験を作成することができるので、保管の手間を省き、試験の漏洩を抑制することができる
【００４９】
以上、本発明の実施形態について説明したが、本発明は上記実施形態に限定されることなく、例えば以下のような変形が考えられる。
【００５０】
（１）上記実施形態において、試験作成装置Ｓは、補助記憶部４に試験作成プログラム４ａが最初から記憶されているものであってもよいし、また、各種記憶媒体（例えば、ＣＤ等）に記憶される試験作成プログラム４ａあるいは、外部から試験作成プログラム４ａをダウンロードし、補助記憶部４に試験作成プログラム４ａをインストールするようにしてもよい。
【００５１】
（２）例えば、決められた試験会場に端末Ｔ１〜Ｔｎが設置され、試験会場に設けられたＷｉＦｉ等の無線ＬＡＮを用いて端末Ｔ１〜Ｔｎが通信を行う場合には、以下のような処理を実行するようにしてもよい。
【００５２】
まず、端末Ｔ１〜Ｔｎは、受験者によって入力デバイスが操作されて、試験会場に設けられた無線ＬＡＮへの接続が選択され、試験会場の無線ＬＡＮのパスワードが入力されて接続が確立した場合には、試験会場のパスワードを発行し、該パスワードを表示デバイス等を用いて報知する。
【００５３】
その後、端末Ｔ１〜Ｔｎは、受験者によって入力デバイスが試験データを表示デバイスに表示するための操作が行われると、パスワード入力画面を表示デバイスに表示させ、発行した試験会場のパスワードがパスワード入力画面に入力されると、次に、受験者のＩＤを受け付けるＩＤ入力画面を表示し、受験者のＩＤがＩＤ入力画面に入力されると、受験者による試験の実施を受け付けるようにしてもよい。
【００５４】
また、決められた試験会場に設置された端末Ｔ１〜Ｔｎを用いて実施された試験の解答データについては、試験作成装置Ｓでデータ分析を行うようにしてもよい。つまり、試験作成装置Ｓにおいて、演算処理部６は、試験会場に設置されていない端末Ｔ１〜Ｔｎを用いて実施された試験に対する解答データではなく、試験会場に設置された端末Ｔ１〜Ｔｎを用いて実施された試験に対する解答データのみを用いて、例えば、各試験問題の解答率等のデータ分析を行うようにしてもよい。なお、試験作成装置Ｓの代わりに、他の装置が端末Ｔ１〜Ｔｎから解答データを受信する場合には、該装置が、試験作成装置Ｓに代わって、上記データ分析を行うようにしてもよい。
【００５５】
（３）上記試験作成装置Ｓは、通信ネットワークＮｔを介して複数の端末Ｔ１〜Ｔｎに直接試験データを提供したが、本発明はこれに限定されない。例えば、試験作成装置Ｓによって作成された試験データを、試験企画団体によって管理されるサーバ装置に提供し、該サーバ装置から、複数の端末Ｔ１〜Ｔｎに試験データを提供するようにしてもよい。
【００５６】
（４）上記試験作成装置Ｓは、補助記憶部４に複数の試験問題が登録されたデータベースである試験問題データを記憶しているが、本発明はこれに限定されない。例えば、試験問題データの容量が大きい場合には、補助記憶部４の代わりに、サーバ装置に試験問題データを記憶させるようにしてもよい。
【符号の説明】
【００５７】
Ｓ…試験作成装置、Ｐ…プリンタ、Ｔ１〜Ｔｎ…端末、Ｎｔ…通信ネットワーク、１…操作部、２…通信部、３…表示部、４…補助記憶部、５…主記憶部、６…演算処理部、４ａ…試験作成プログラム
【図１】
0005924654.tif 000002
【図２】
0005924654.tif 000003
【図３】
0005924654.tif 000004
【図４】
0005924654.tif 000005
【図５】
0005924654.tif 000006